(57)【要約】【課題】センサの装着状態や通信状態を確認し、その結果をユーザーに通知することができるセンサ装着状態判定方法、通信状態判定方法、テレメータ型脈波収集装置、記録媒体、及びプログラムを提供すること。【解決手段】ステップ３００では、最新の５秒間に受信した脈波データを格納する。ステップ３１０では、その脈波データの数Ｎ２を算出し、ステップ３２０では、Ｎ２／１００＝１の式が成立するかを判定する。ステップ３３０では、パラメータＭＸ（ｉ）、最小値ＭＮ（ｉ）、及びＰＨ（ｉ）を算出し、ステップ３４０では、ＰＨ（ｉ）（ｉは１〜５の整数）のばらつきが、所定範囲内であるかを判定する。ステップ３５０では、脈波データのベースラインの上昇又は下降が、所定範囲内であるかを判定し、ステップ３６０では、式：０．２７５＜ＰＨ（ｎ）＜２．２が成立するかを判断する。【選択図】　図７
2004057667.tif 000002
【特許請求の範囲】
【請求項１】
被験者に装着され、所定間隔で脈波データの検出及び送信を行うセンサと、
前記脈波データを受信する親機とを含むテレメータ型脈波収集装置におけるセンサ装着状態判定方法であって、
所定の判定時間の間、脈波データを記録する記録工程と、
前記記録工程で記録した脈波データに基づいて、センサ装着状態の良否を判定するセンサ装着状態判定工程と、を備えることを特徴とするセンサ装着状態判定方法。
【請求項２】
前記センサ装着状態判定工程は、前記判定時間を、２以上の時間区分Ａ（１）〜Ａ（ｎ）（ｎは２以上の整数）に分割し、前記時間区分Ａ（ｉ）（ｉは１〜ｎのいずれかの整数）ごとに、該時間区分Ａ（ｉ）における前記脈波データの最大値ＭＸ（ｉ）、前記脈波データの最小値ＭＮ（ｉ）、及び前記ＭＸ（ｉ）と前記ＭＮ（ｉ）との差である脈高ＰＨ（ｉ）を算出するパラメータ算出工程と、
各ＰＨ（ｉ）間のばらつきが所定範囲内であるか否かを判定する判定工程Ａと、前記ＭＸ（ｉ）、及び前記ＭＮ（ｉ）に基づいて、脈波データのベースラインの変動が所定範囲内であるか否かを判定する判定工程Ｂと、
任意の時間区分Ａ（ｉ）のＰＨ（ｉ）と、所定の判定係数Ｋ１及びＫ２との間に、
式（１）：Ｋ１＜ＰＨ（ｉ）＜Ｋ２
が成立するか否かを判定する判定工程Ｃと、
を備えることを特徴とするセンサ装着状態判定方法。
【請求項３】
前記判定工程Ａが、各時間区分のＰＨ（ｉ）の中での最大値であるＰＨｍａｘと、各時間区分のＰＨ（ｉ）の中での最小値であるＰＨｍｉｎと、所定の判定係数Ｋ３の間で、
式（２）：ＰＨｍａｘ＜ＰＨｍｉｎ×Ｋ３
が成立するか否かを判定するものであることを特徴とする前記請求項２に記載のセンサ装着状態判定方法。
【請求項４】
前記判定工程Ｂは、下記式（３）及び式（４）が成立するか否かを判定するものであることを特徴とする前記請求項２又は３に記載のセンサ装着状態判定方法。
式（３）：ＭＮ（ｉ＋１）＜ＭＸ（ｉ）　（ｉは１〜ｎ−１のいずれかの整数）
式（４）：ＭＸ（ｉ＋１）＞ＭＮ（ｉ）　　　（ｉは１〜ｎ−１のいずれかの整数
）
【請求項５】
前記判定工程Ｂは、下記式（５）及び式（６）が成立するか否かを判定するものであることを特徴とする前記請求項２又は３に記載のセンサ装着状態判定方法。
式（５）：ＭＮ（ｉ＋１）＜（ＭＸ（ｉ）＋ＭＮ（ｉ））／２　（ｉは１〜ｎ−１のいずれかの整数）
式（６）：ＭＸ（ｉ＋１）＞（ＭＸ（ｉ）＋ＭＮ（ｉ））／２　（ｉは１〜ｎ−１のいずれかの整数）
【請求項６】
前記センサ装着状態判定工程の判定結果が否定判定であった場合は、前記センサ装着状態判定工程を再度実行することを特徴とする前記請求項１〜５のいずれかに記載のセンサ装着状態判定方法。
【請求項７】
前記再度実行の際には、その時点での最新の脈波データを含むように、前記判定時間を設定することを特徴とする前記請求項６に記載のセンサ装着状態判定方法。
【請求項８】
前記判定時間に、前記センサが送信するべき脈波データの数であるＮ１と、前記判定時間内に、前記親機が実際に受信した脈波データの数であるＮ２と、所定の計数Ｋ４との間に、
式（７）：Ｎ２／Ｎ１≧Ｋ４
が成立するか否かを判定する通信状態判定工程を含むことを特徴とする前記請求項１〜７のいずれかに記載のセンサ装着状態判定方法。
【請求項９】
前記通信状態判定工程の判定結果が否定判定であった場合は、前記通信状態判定工程を再度実行することを特徴とする前記請求項８に記載のセンサ装着状態判定方法。
【請求項１０】
前記再度実行の際には、その時点での最新の脈波データを含むように、前記判定時間を設定することを特徴とする前記請求項９に記載のセンサ装着状態判定方法。
【請求項１１】
被験者に装着され、所定間隔で脈波データの検出及び送信を行うセンサと、
前記脈波データを受信する親機とを含むテレメータ型脈波収集装置における通信状態判定方法であって、
所定の判定時間の間、脈波データを記録する記録工程と、
前記判定時間内に、前記センサが送信するべき脈波データの数であるＮ１と、前記判定時間内に、前記親機が実際に受信した脈波データの数であるＮ２と、所定の計数Ｋ４との間に、
式（４）：Ｎ２／Ｎ１≧Ｋ４
が成立するか否かを判定する通信状態判定工程を含むことを特徴とする通信状態判定方法。
【請求項１２】
前記通信状態判定工程の判定結果が否定判定であった場合は、前記通信状態判定工程を再度実行することを特徴とする前記請求項１１に記載の通信状態判定方法。
【請求項１３】
前記再度実行の際には、その時点での最新の脈波データを含むように、前記判定時間を設定することを特徴とする前記請求項１２に記載の通信状態判定方法。
【請求項１４】
前記請求項１〜１０のいずれかに記載のセンサ装着状態判定方法を実行するセンサ装着状態判定手段を備えることを特徴とするテレメータ型脈波収集装置。
【請求項１５】
前記センサ装着状態判定方法の判定結果を表示する表示手段を備えることを特徴とする前記請求項１４に記載のテレメータ型脈波収集装置。
【請求項１６】
前記請求項１１〜１３のいずれかに記載の通信状態判定方法を実行する通信状態判定手段を備えることを特徴とするテレメータ型脈波収集装置。
【請求項１７】
前記通信状態判定方法の判定結果を表示する表示手段を備えることを特徴とする前記請求項１６に記載のテレメータ型脈波収集装置。
【請求項１８】
前記請求項１４〜１７のいずれかに記載のテレメータ型脈波収集装置による処理を実行させる手段を記憶していることを特徴とする記録媒体。
【請求項１９】
前記請求項１４〜１７のいずれかに記載のテレメータ型脈波収集装置による処理を実行させるプログラム。
【発明の詳細な説明】
【０００１】
【発明の属する技術分野】
本発明は、テレメータ型脈波収集装置におけるセンサ装着状態判定方法、通信状態判定方法、それらの判定方法を実行する手段を備えたテレメータ型脈波収集装置、記録媒体、及びプログラムに関する。
【０００２】
【従来の技術】
従来より、脈波等の生体情報を測定し、被験者の状態をモニタする試みがなされており、そのための装置としては、被験者に装着する電極と、その電極とケーブルを介して接続され、レコーダや半導体メモリなどを内蔵した親機とから構成されるものが用いられてきた。
【０００３】
このような装置では、被験者に電極を装着する必要があること、電極と測定装置の本体とがケーブルで結ばれていること等から、長時間の測定（例えば、睡眠中の連続的な測定）は困難であった。また、測定データを、パーソナルコンピュータ等に送らなければならないという問題があった。
【０００４】
そこで近年では、テレメータ型脈波収集装置により、被験者の脈波を測定することが行われている。
このテレメータ型脈波収集装置は、被験者に装着するセンサを備えており、そのセンサには、発光素子、その駆動装置、及び受光素子が配置されている。このセンサの発光素子から照射される光は、毛細動脈にあたり、一部を血液中のヘモグロビンに吸収されつつ反射し、受光素子に入射する。従って、血液の脈動によってヘモグロビンの量が波動的に変化すると、入射光のうち吸収される割合もそれに伴って変化するので、受光素子に入射する光量も波動的に変化する。よって、この受光量の変化を脈波データとして検出することができる。
【０００５】
検出された脈波データは、センサから無線送信され、テレメータ型脈波収集装置の親機に受信され、記録、解析が行われる。
このテレメータ型脈波収集装置を用いると、被験者に小型のセンサさえ取り付ければよく、電極を装着する必要がない。また、センサと親機との間をケーブルで接続する必要がないことにより、ウエアラブル性が高く、被験者自身による長時間測定が可能である。
【０００６】
【発明が解決しようとする課題】
しかし、被験者自身で測定を行う場合には、センサの装着状態やセンサと親機との通信状態を被験者が確認しなければならないが、従来のテレメータ型脈波収集装置では、上記センサの装着状態やセンサと親機との通信状態の確認が困難であるという問題があった。
【０００７】
また、センサの装着状態やセンサと親機との通信状態が不十分なまま測定を行うと、高精度のデータが得られず、解析精度が低下し、被験者に誤った結果表示をしてしまうという問題があった。
本発明は以上の点に鑑みなされたものであり、センサの装着状態や通信状態を確認し、その結果をユーザーに通知することができるセンサ装着状態判定方法、通信状態判定方法、テレメータ型脈波収集装置、記録媒体、及びプログラムを提供することを目的とする。
【０００８】
【課題を解決するための手段及び発明の効果】
（１）請求項１の発明では、例えば、通常の脈波測定を行う前に、センサ装着状態判定工程において、所定の判定時間に記録した脈波データに基づいて、センサの装着状態の良否を判断する。
【０００９】
つまり、本発明では、記録工程において記録した脈波データが、正常に測定されたものであるかを、センサ装着状態判定工程において判定する。その判定の基準としては、例えば、脈波データの脈高のばらつきが大きくないか、脈波データのベースラインが大きく変動していないか、脈高の値が所定範囲内であるか等がある。
【００１０】
そして、脈波データが正常に測定されていないと判定した場合は、センサ装着状態が不良であると判定する。
本発明のセンサ装着状態判定方法を、例えば、通常の脈波測定を行う前に実施すれば、ユーザは、センサ装着状態の良否を確かめることができ、センサ装着状態が不良であることが分かった場合は、センサ装着状態を改善するための措置（例えば、センサの装着位置をずらす）を取ることができる。
【００１１】
その結果として、センサ装着状態が不良のまま脈波の測定を開始し、高精度の脈波データが得られなくなってしまうようなことがない。
・前記判定時間は、例えば、５〜２０秒間とすることができる。５秒間以下では、判定精度が低下してしまう可能性があり、２０秒間以上では、ユーザを待たせる時間が長くなり、不快感を与えてしまうことがある。
（２）請求項２の発明では、センサ装着状態判定工程が、パラメータ算出工程と、そのパラメータ算出工程で算出されたパラメータを用いて判定を行う、判定工程Ａ、判定工程Ｂ、及び判定工程Ｃとを含んでいる。
【００１２】
つまり、判定工程Ａにおいて、各時間区分Ａ（ｉ）のＰＨ（ｉ）間のばらつきが所定範囲内であるか否かを判定する。
また、判定工程Ｂでは、ＭＸ（ｉ）、ＭＮ（ｉ）に基づいて、脈波データ全体のベースラインが、急激に上昇又は下降しているか否かを判定する。
【００１３】
また、判定工程Ｃでは、各時間区分の脈高ＰＨ（ｉ）がＫ１より大きく、Ｋ２より小さい範囲にあるか否かを判定する。
このように、本発明では、判定工程Ａ〜判定工程Ｃにより、脈波データが正常に測定できているかを判定し、その結果に応じて、センサ装着状態の良否を判定する。即ち、判定工程Ａ〜Ｃにおいて、例えば、１つでも否定判定がなされた場合は、センサの装着状態が不良であると判定する。
【００１４】
・前記Ｋ１及びびＫ２の単位は、例えば、ボルトであり、その数値は、例えば０．３〜３の範囲にある。
（３）請求項３の発明では、判定工程Ａが、下記の式（１）が成立するか否かにより、各時間区分ごとの脈高のばらつきが一定範囲内であるか否かを判定するものである。
【００１５】
式（１）：ＰＨｍａｘ＜ＰＨｍｉｎ×Ｋ３
・前記時間区分Ａ（ｉ）の長さは、脈波測定時に、１個前後の脈波が入る長さであればよく、例えば、１〜２秒間とすることができる。
・前記Ｋ３の値としては、例えば、１．５〜２の範囲の値がある。
（４）請求項４の発明では、判定工程Ｂが、下記式（３）及び式（４）が成立するか否かを判定するものである。
【００１６】
式（３）：ＭＮ（ｉ＋１）＜ＭＸ（ｉ）　　（ｉは１〜ｎ−１のいずれかの整数）
式（４）：ＭＸ（ｉ＋１）＞ＭＮ（ｉ）　　　（ｉは１〜ｎ−１のいずれかの整数）
本発明では、上記式（３）及び式（４）に基づいて、脈波データのベースラインの変動が所定範囲内であるか否かを判定することができる。
【００１７】
つまり、式（３）が成立していれば、時間区分Ａ（ｉ＋１）における最小値ＭＮ（ｉ＋１）は、時間区分Ａ（ｉ）における最大値ＭＸ（ｉ）より小さいので、脈波データのベースラインは、大きく上昇していることはない。
また、式（４）が成立していれば、時間区分Ａ（ｉ＋１）における最大値ＭＸ（ｉ＋１）は、時間区分Ａ（ｉ）における最小値ＭＸ（ｉ）より大きいので、脈波データのベースラインは、大きく下降していることはない。
【００１８】
従って、上記式（３）及び式（４）が成立していると、脈波データのベースラインは、大きく上昇または下降をしていることはない。
（５）請求項５の発明では、判定工程Ｂが、下記式（５）及び式（６）が成立するか否かを判定するものである。
【００１９】
式（５）：ＭＮ（ｉ＋１）＜（ＭＸ（ｉ）＋ＭＮ（ｉ））／２　（ｉは１〜ｎ−１のいずれかの整数）
式（６）：ＭＸ（ｉ＋１）＞（ＭＸ（ｉ）＋ＭＮ（ｉ））／２　（ｉは１〜ｎ−１のいずれ
かの整数）
本発明では、上記式（５）及び式（６）に基づいて、脈波データのベースラインの変動が所定範囲内であるか否かを判定することができる。
【００２０】
つまり、式（５）が成立していれば、脈波データのベースラインが大きく上昇していることはない。また、式（６）が成立していれば、脈波データのベースラインは、大きく下降していることはない。
（６）請求項６の発明では、センサ装着状態判定工程の判定結果が否定判定（例えば、判定工程Ａ、判定工程Ｂ、及び判定工程Ｃの判定結果の中に、否定判定があった場合）は、センサ装着状態判定工程を再度実行する。
【００２１】
そのため、本発明では、センサ装着状態が改善するまで、繰り返しセンサ装着状態判定工程を実施することができ、ユーザは、例えば、センサの装着位置を少しずつ変えながら、最適なセンサ装着状態を探すことができる。
（７）請求項７の発明では、センサ装着状態判定工程を再度実行する際には、その時点での最新の脈波データを含むように、前記判定時間を設定する。
【００２２】
つまり、本発明のセンサ装着状態判定方法では、常に、最新の脈波データに基づいてセンサ装着状態の判定を行う。
従って、本発明では、センサ装着状態の変化を、素早く、センサ装着状態判定方法の判定結果に反映させることが出来る。
（８）請求項８の発明では、例えば、通常の脈波測定を行う前に、センサと親機との間の通信状態を判定する。
【００２３】
つまり、判定時間に、センサが送信するべき脈波データの数であるＮ１と、判定時間内に、前記親機が実際に受信した脈波データの数であるＮ２と、所定の計数Ｋ４との間に、下記式（７）が成立するか否かを判定する。この式（７）が成立する場合は、親機が受信する脈波データの数Ｎ２が十分に多く、通信状態は正常であると判定する。一方、この式（７）が成立しない場合は、親機が受信する脈波データの数Ｎ２が不十分であり、通信状態が不良であると判定する。
【００２４】
式（７）：Ｎ２／Ｎ１≧Ｋ４
本発明のセンサ装着状態判定方法を、例えば、通常の脈波測定を行う前に実施すれば、通信状態の良否を確かめることができ、通信状態が不良であることが分かった場合は、通信状態を改善するための措置（例えば、センサと親機との間の障害物や、脈波データの送受信の妨げとなる近傍の電子機器を除く等）を取ることができる。
【００２５】
その結果として、ユーザが通信状態が不良のまま脈波の測定を開始し、高精度の脈波データが得られなくなってしまうようなことがない。
・前記Ｋ４の値としては、例えば、０．９〜１の範囲にある値が挙げられる。
（９）請求項９の発明では、通信状態判定工程の判定結果が否定判定であった場合は、再度、センサ装着状態判定方法を実行する。
【００２６】
そのため、本発明では、通信状態が改善するまで、繰り返しセンサ装着状態判定方法が実行され、ユーザは、例えば、センサと親機との間の障害物や、脈波データの送受信の妨げとなる近傍の電子機器を除く等の措置をとりながら、通信状態の改善及びその確認を行うことができる。
（１０）請求項１０の発明では、センサ装着状態判定方法を再度実行する際には、その時点での最新の脈波データを含むように、前記判定時間を設定する。
【００２７】
つまり、本発明のセンサ装着状態判定方法では、常に、最新の脈波データに基づいて判定を行う。
従って、本発明では、通信状態の変化を、素早く、センサ装着状態判定方法の判定結果に反映させることが出来る。
（１１）請求項１１の発明では、例えば、通常の脈波測定を行う前に、センサと親機との間の通信状態を判定する。
【００２８】
つまり、判定時間に、センサが送信するべき脈波データの数であるＮ１と、判定時間内に、前記親機が実際に受信した脈波データの数であるＮ２と、所定の計数Ｋ４との間に、下記式（７）が成立するか否かを判定する。
式（７）：Ｎ２／Ｎ１≧Ｋ４
本発明の通信状態判定方法を、例えば、通常の脈波測定を行う前に実施すれば、通信状態の良否を確かめることができ、通信状態が不良であることが分かった場合は、通信状態を改善するための措置（例えば、センサと親機との間の障害物や、脈波データの送受信の妨げとなる近傍の電子機器を除く等）を取ることができる。
【００２９】
その結果として、通信状態が不良のまま脈波の測定を開始し、高精度の脈波データが得られなくなってしまうようなことがない
・前記Ｋ４の値としては、例えば、０．９〜１の範囲にある値が挙げられる。
（１２）請求項１２の発明では、通信状態判定工程の判定結果が否定判定であった場合は、再度、通信状態判定工程を実行する。
【００３０】
そのため、本発明では、通信状態が改善するまで、繰り返し通信状態判定方法が実行され、ユーザは、例えば、センサと親機との間の障害物や、脈波データの送受信の妨げとなる近傍の電子機器を除く等の措置をとりながら、通信状態の改善及びその確認を行うことができる。
（１３）請求項１３の発明では、通信状態判定方法を再度実行する際には、その時点での最新の脈波データを含むように、前記判定時間を設定する。
【００３１】
つまり、本発明の通信状態判定方法では、常に、最新の脈波データに基づいて判定を行う。
従って、本発明では、通信状態の変化を、素早く、通信状態判定方法の判定結果に反映させることが出来る。
（１４）請求項１４のテレメータ型脈波収集装置は、前記請求項１〜１０のいずれかに記載のセンサ装着状態判定方法を実行するセンサ装着状態判定手段を備えている。
（１５）請求項１５のテレメータ型脈波収集装置は、センサ装着状態判定方法の判定結果を表示する表示手段を備えている。
【００３２】
従って、ユーザは、その表示により、センサ装着状態の良否を知ることができる。
（１６）請求項１６のテレメータ型脈波収集装置は、前記請求項１１〜１３のいずれかに記載の通信状態判定方法を実行する通信状態判定手段を備えている。
（１７）請求項１７のテレメータ型脈波収集装置は、通信状態判定方法の判定結果を表示する表示手段を備えている。
【００３３】
従って、ユーザは、その表示により、通信状態の良否を知ることができる。
（１８）請求項１８の発明は、前記請求項１４〜１７のいずれかに記載のテレメータ型脈波収集装置による処理を実行させる手段を記憶していることを特徴とする記録媒体である。
【００３４】
つまり、上述したテレメータ型脈波収集装置の処理を実行させることができる例えばプログラム等の手段を記憶したものであれば、特に限定はない。
例えば記録媒体としては、マイクロコンピュータとして構成される電子制御装置、マイクロチップ、フロッピィディスク、ハードディスク、光ディスク等の各種の記録媒体が挙げられる。
（１９）請求項１９の発明は、前記請求項１４〜１７のいずれかに記載のテレメータ型脈波収集装置による処理を実行させるプログラムである。
【００３５】
【発明の実施の形態】
以下に本発明のセンサ装着状態判定方法、通信状態判定方法、テレメータ型脈波収集装置、記録媒体、及びプログラムの実施の形態の例（実施例）を説明する。
（実施例１）
ａ）まず本実施例１のテレメータ型脈波収集装置の全体構成を図１及び図２を用いて説明する。
【００３６】
テレメータ型脈波収集装置１は、図１に示すように、親機３と、被験者に取り付けるセンサ５とから構成されており、上記親機３は、液晶画面であるモニタ部（表示手段）７と、センサ５を収容できるように窪んだ部分である収容部９と、取っ手１１とを備える。
【００３７】
上記センサ５は、図２に示す様に、脈波測定を行う部分である内部回路１３と、内部回路１３の電源である電池１５と、リードスイッチ１７と、充電端子１９とを備えている。
センサ５が親機３の収容部９に収容されている状態では、内部回路１３と電池１５との間は、リードスイッチ１７により切り離されている。そして、電池１５は、リードスイッチ１７を介して充電端子１９に接続しており、その充電端子１９は、親機３側の充電端子２１を介して充電回路２３に接続されている。従って、センサ５が親機３に収容されている時には、センサ５の電池１５は、親機３の充電回路２３により充電される。
【００３８】
一方、センサ５を親機３から取り出した場合は、センサ５側の充電端子１９と親機３側の充電端子２１とは切り離される。また、リードスイッチ１７により、内部回路１３と電池１５は接続され、内部回路１３は、後述する動作を開始する。
【００３９】
また、親機３は、収容部９の底面に磁石２５を備えている。この磁石２５は、リードスイッチ１７の切り換えの作用を奏する。
ｂ）次に、センサ５び親機３の構成を図３〜図５を用いて更に詳細に説明する。
【００４０】
センサ５の内部回路１３は、図３に示す様に、光の照射及び受光を行う脈波センサ２７と、その駆動回路２９と、脈波センサ２７が受光した信号を増幅する検出回路３１と、アナログ信号をデジタル信号に変換するＡＤコンバータ（ＡＤＣ）３３と、デジタル信号を送信データに変換するためのマイクロコンピュータ３４と、信号を親機３に送信するための送信モジュール３５とから構成されている。
【００４１】
上記脈波センサ２７は、脈波測定に用いる光を発する発光素子３７、発光素子３７から照射された光を透過可能な窓であり、センサ５の側面に設けられている窓３９と、被験者から反射して戻ってくる光を受光する受光素子４１とから構成されている。
【００４２】
親機３は、図４に示す様に、センサ５が送信する信号を受信する受信モジュール４３と、受信した信号を処理するアナログ加算回路４５と、データスライサ回路４７とを備えている。
また、親機３は、後述するセンサ装着状態判定方法、通信状態判定方法を実行する手段として、また、通常の脈波測定においてデータを処理する手段として、コンピュータシステム４９を備えている。
【００４３】
ｃ）次に、本実施例１のテレメータ型脈波収集装置１による脈波測定の原理の概略を図５を用いて説明する。
センサ５を、脈波センサ２７が被験者の体表面側に向くように、被験者に取り付けると、発光素子３７から人体に向かって照射される光は、その一部が人体の内部を通る毛再動脈に当たって、毛再動脈を流れる血液中のヘモグロビンに吸収され、残りの光が毛再動脈で反射して散乱し、その一部が受光素子４１に入射する。この時、血液の脈動により毛再動脈にあるヘモグロビンの量が波動的に変化するので、ヘモグロビンに吸収される光の割合も波動的に変化する。
【００４４】
その結果、毛再動脈で反射して受光素子４１で検出される受光量が変化するので、その受光量の変化を脈波信号（電気信号）として検出する。
そして、検出された脈波信号は、検出回路３１にて増幅され、ＡＤＣ３３でデジタル信号に変換され、送信モジュール３５から親機３に送信される。
【００４５】
親機３では、受信モジュール４３にて脈波信号を受信する。
ｄ）次に、本実施例１のテレメータ型脈波収集装置１が実行する処理を図６を用いて説明する。
ステップ１００では、ユーザが親機３の電源（図示略）を入れる。すると、親機３は、センサ５から送信される脈波データの受信が可能な状態となり、モニタ部７に、「センサを装着して下さい」との表示が成される。
【００４６】
ステップ１１０では、ユーザが親機３の収容部９からセンサ５を取り出し、被験者の体表面に装着する。具体的には、被験者の前腕部に取り付けたサポータの中に挿入して固定する。
ここで、センサ５を親機３から取り出したタイミングで、センサ５の駆動回路２９がＯＮとなり、脈波データの検出、送信が開始される。尚、脈波データの検出、送信は、２０Ｈｚの周期で行われる。
【００４７】
ステップ１２０では、１つの脈波データを検出し、その脈波データを送信する。
ステップ１３０では、前記ステップ１２０でセンサ５が送信する脈波データを親機３が受信する。
【００４８】
ステップ１４０では、１秒間に受信するべき脈波データの数である２０と、直前の１秒間に実際に受信した脈波データの数であるＮ３との比率Ｎ３／２０を、図１に示す様に、親機３のモニタ部７の右上に、受信レートバーとして表示する。この受信レートバーでは、上記比率が大きい程、バーの端が右側に位置し、上記比率が小さいと、バーの端が左側に位置する。
【００４９】
ステップ１５０では、親機３が脈波データを受信し始めてから５秒以上経過したか否かを判断する。ＹＥＳの場合はステップ１６０に進み、ＮＯの場合はステップ１２０に戻る。
ステップ１６０では、センサ装着状態判定方法及び通信状態判定方法を行う。この処理については後に詳述する。
【００５０】
ステップ１７０では、前記ステップ１６０におけるセンサ装着状態判定方法及び通信状態判定方法の結果が、いずれも肯定判定（良好）であったか否かを判断する。ＹＥＳの場合はステップ１８０に進む。一方、ＮＯの場合はステップ１２０に戻り、ステップ１２０〜１６０の処理を再度実行する。尚、ステップ１２０〜１６０を実行している間は、３分間おきに、「センサ装着再確認して下さい」の表示がモニタ部７に表示される。
【００５１】
ステップ１８０では、親機３のモニタ部７に、「センサ装着確認」の表示を行う。
ステップ１９０では、前記ステップ１８０の表示を行ってから１分後、親機３のモニタ部７のバックライトをＯＦＦにする。
【００５２】
ステップ２００では、通常のテレメータ型脈波収集装置の測定を行うが、本発明とは直接関係ないので、その記載は省略する。
ｅ）次に、本実施例１のテレメータ型脈波収集装置１が実行するセンサ装着状態判定方法及び通信状態判定方法（図５のステップ１６０）の処理を図７を用いて説明する。
【００５３】
ステップ３００では、最新の５秒間（判定時間）に親機３が受信した脈波データを親機３の、図示しない記憶装置に格納する。このステップ３００は、記録工程に該当する。
尚、図６のステップ１７０にて否定判定された場合は、ステップ１２０に戻り、ステップ１６０が繰り返し実行されるので、このステップ３００も繰り返し実行されるが、判定時間は、ステップ３００を実行する度に、その直前の５秒間として新たに設定される。
【００５４】
ステップ３１０では、前記ステップ３００にて格納した脈波データの数を算出し、Ｎ２とする。
ステップ３２０では、２０Ｈｚの周期で脈波データを送信するセンサが５秒間に送信する脈波データの数である２０×５＝１００（Ｎ１）と、前記ステップ３１０にて算出したＮ２と、係数Ｋ４としての数値１との間に、下記の式が成立するか否かを判断する。
【００５５】
Ｎ２／１００＝１
つまり、このステップ３２０では、センサ５が送信した脈波データを、親機３が１００％受信したか否かを判断する。
ＹＥＳの場合はステップ３３０に進み、ＮＯの場合はステップ３８０に進む。尚、上記ステップ３１０及び３２０は、通信状態判定工程に該当する。
【００５６】
ステップ３３０では、まず、５秒間の判定時間を、１秒間ごとに、５つの時間区分Ａ（１）〜Ａ（５）に分割する。
そして、時間区分Ａ（１）における脈波データの最大値を検出し、その値をＭＸ（１）とする。また、時間区分Ａ（１）における脈波データの最小値を検出し、その値をＭＮ（１）とする。更に、ＭＸ（１）からＭＮ（１）を差し引いた値（脈高）を算出し、その値をＰＨ（１）とする。
【００５７】
同様に、時間区分Ａ（２）〜Ａ（５）についても、それぞれの時間区分での最大値ＭＸ（ｉ）、最小値ＭＮ（ｉ）、及びＰＨ（ｉ）を算出する。ここで、ｉは２〜５の整数である。
ステップ３４０では、ＰＨ（ｉ）（ｉは１〜５の整数）のばらつきの大きさが、所定範囲内であるか否かを判定する。
【００５８】
具体的には、まず、ＰＨ（１）〜ＰＨ（５）の中での最大値をＰＨｍａｘとし、ＰＨ（１）〜ＰＨ（５）の中での最小値をＰＨｍｉｎとする。
そして、ＰＨｍａｘ、ＰＨｍｉｎ、及び係数Ｋ３としての数値２との間に、下記の式が成立するか否かを判断する。
【００５９】
ＰＨｍａｘ＜ＰＨｍｉｎ×２
ＹＥＳの場合はステップ３５０に進み、ＮＯの場合はステップ３８０に進む。尚、このステップ３４０は、判定工程Ａに該当する。
ステップ３５０では、脈波データのベースラインの上昇又は下降が、所定範囲内であるか否かを判定する。
【００６０】
具体的には、時間区分Ａ（１）〜Ａ（４）のうち、任意の時間区分Ａ（ｉ）におけるＭＸ（ｉ）が、時間区分Ａ（ｉ＋１）におけるＭＮ（ｉ＋１）より大きく、尚かつ、Ａ（ｉ）におけるＭＮ（ｉ）が、Ａ（ｉ＋１）におけるＭＸ（ｉ＋１）より小さいか否かを判定する。（ここで、ｉは１〜４の整数である。）
つまり、このステップ３５０では、下記の式が成立するか否かを判断する。
【００６１】
式（３）：ＭＮ（ｉ＋１）＜ＭＸ（ｉ）　　（ｉは１〜４までの整数）
式（４）：ＭＸ（ｉ＋１）＞ＭＮ（ｉ）　（ｉは１〜４までの整数）
上記式（３）及び式（４）が成立する場合はステップ３６０に進み、成立しない場合は、ステップ３８０に進む。尚、このステップ３５０は判定工程Ｂに該当する。
【００６２】
ステップ３６０では、ＰＨ（ｉ）と、係数Ｋ１としての０．２７５と、係数Ｋ２としての２．２との間に、以下の式が成立するか否かを判断する。
０．２７５＜ＰＨ（ｉ）＜２．２　（ここで、ｉ＝１〜５の整数）
上記式が成立する場合はステップ３７０に進み、成立しない場合はステップ３８０へ進む。尚、このステップ３６０は、判定工程Ｃに該当する。
【００６３】
ステップ３７０では、センサ装着状態及び通信状態の双方が良好であると判定する。
ステップ３８０では、センサ装着状態又は通信状態のうちの少なくとも一方が不良であると判定する。
【００６４】
ステップ３７０又はステップ３８０の後は、上記図６のステップ１７０に戻る。
ｆ）次に、本実施例１のテレメータ型脈波収集装置１が奏する効果を説明する。
【００６５】
▲１▼本実施例１のテレメータ型脈波収集装置１では、通常の脈波の測定（図６のステップ２００）を行う前に、センサ５が送信する脈波データを親機３が１００％受信しているかを判定し（図７のステップ３２０）、１００％受信できていない場合は、通常の脈波の測定に入ることがない（図７のステップ３８０、図６のステップ１７０）。
【００６６】
そのため、センサ５と親機３との間の通信状態が不良のまま脈波の測定を開始し、高精度の脈波データが得られなくなってしまうようなことがない。
また、センサ５が送信する脈波データの数に対して、実際に親機３が受信している脈波データの数の割合が、親機３のモニタ部７に、受信レートバーとして表示されるので、ユーザは、受信状態を知り、それに応じて、受信状態を改善させるための措置（例えば、センサ５と親機３との間の障害物や、脈波データの送受信の妨げとなる近傍の電子機器を除く等）をとることができる。
【００６７】
▲２▼本実施例１のテレメータ型脈波収集装置１では、通常の脈波の測定（図６のステップ２００）を行う前に、センサ５の装着状態の良否を判断することができる。
具体的には、図７のステップ３４０では、脈高ＰＨ（ｉ）のばらつきが大きくないか否かを判定する。
【００６８】
また、ステップ３５０では、脈波データ全体のベースラインが、急激に上昇又は下降しているか否かを判定する。即ち、図８に示す様に、時間区分Ａ（ｉ）におけるＭＸ（ｉ）が、隣接する時間区分Ａ（ｉ＋１）におけるＭＮ（ｉ＋１）より大きく、尚かつ、Ａ（ｉ）におけるＭＮ（ｉ）が、Ａ（ｉ＋１）におけるＭＸ（ｉ＋１）より小さければ、脈拍データのベースラインの急激な上昇又は下降はないと判定する。
【００６９】
また、ステップ３６０では、脈高ＰＨ（ｉ）の値が適正な範囲内にあるか否かを判定する。
これらの判定結果のうち、１つでも否定判定がされた場合は、センサ装着状態が不良であると判断し（図７のステップ３８０、図６のステップ１７０）、再度センサ装着状態の判定が行われる。
【００７０】
従って、本実施例１のテレメータ型脈波収集装置１では、センサ装着状態が不良のまま脈波の測定を開始し、高精度の脈波データが得られなくなってしまうようなことがない
また、センサ装着状態が良好であると判断される（図７のステップ３７０、図６のステップ１７０）までは、親機３のモニタ部７に、「センサ装着して下さい」、又は「センサ再装着確認して下さい」の表示が出るため、この表示により、ユーザはセンサ装着状態が不良であることを知り、センサ５の装着状態を改善するための措置（例えば、センサ５の位置をずらす）をとることができる。
【００７１】
▲３▼本実施例１のテレメータ型脈波収集装置１では、「センサ装着確認」表示が出てから１分後に、親機３のモニタ部７のバックライトがＯＦＦとなる（図６のステップ１９０）。そのため、睡眠中に脈波を測定する場合でも、バックライトにより眠りを妨げられることがない。
（実施例２）
本実施例２のテレメータ型脈波収集装置の構成は、前記実施例１と同様であり、その実行する処理も、基本的には前記実施例１と同様である。
【００７２】
但し、本実施例２では、判定工程Ｂにおいて、下記式が成立するか否かを判定する。
式（５）：ＭＮ（ｉ＋１）＜（ＭＸ（ｉ）＋ＭＮ（ｉ））／２　（ｉは１〜ｎ−１のいずれかの整数）
式（６）：ＭＸ（ｉ＋１）＞（ＭＸ（ｉ）＋ＭＮ（ｉ））／２　（ｉは１〜ｎ−１のいずれかの整数）
つまり、本実施例２では、図７のステップ３５０にて、式（３）及び式（４）の代わりに、上記式（５）及び式（６）が成立するか否かを判定する。
【００７３】
本実施例２では、判定工程Ｂに、式（３）及び（４）よりも厳しい条件である式（５）及び式（６）を用いているので、判定精度を一層向上させることができる。
尚、本発明は前記実施例になんら限定されるものではなく、本発明を逸脱しない範囲において種々の態様で実施しうることはいうまでもない。
【００７４】
例えば前記実施例では、テレメータ型脈波収集装置について述べたが、この装置による処理を実行させるプログラムや、この装置による処理を実行させる手段を記憶している記録媒体も、本発明の範囲である。
例えば記録媒体としては、マイクロコンピュータとして構成される電子制御装置、マイクロチップ、フロッピィディスク、ハードディスク、光ディスク等の各種の記録媒体が挙げられる。
【図面の簡単な説明】
【図１】実施例におけるテレメータ型脈波収集装置の全体構成を示す説明図である。
【図２】実施例におけるテレメータ型脈波収集装置の全体構成を示す説明図である。
【図３】実施例におけるテレメータ型脈波収集装置の親機の構成を示すブロック図である。
【図４】実施例におけるテレメータ型脈波収集装置のセンサの構成を示すブロック図である。
【図５】実施例におけるテレメータ型脈波収集装置の測定原理を示す説明図である。
【図６】実施例におけるテレメータ型脈波収集装置が実行する処理の全体を示すフロー図である。
【図７】実施例におけるテレメータ型脈波収集装置が実行するセンサ装着状態判定方法及び通信状態判定方法の処理を示すフロー図である。
【図８】実施例における脈波データを示す説明図である。
【符号の説明】
１・・・テレメータ型脈波収集装置
３・・・親機
５・・・センサ
７・・・モニタ部
９・・・収容部
１１・・・内部回路
２７・・・脈波センサ
３５・・・送信モジュール
３９・・・発光素子
４１・・・受光素子
４３・・・受信モジュール
【図１】
2004057667.tif 000003
【図２】
2004057667.tif 000004
【図３】
2004057667.tif 000005
【図４】
2004057667.tif 000006
【図５】
2004057667.tif 000007
【図６】
2004057667.tif 000008
【図７】
2004057667.tif 000009
【図８】
2004057667.tif 000010